(57)【特許請求の範囲】
【請求項１】
雄ネジ付き継手本体（１）と袋ナット（３）とを備え、上記袋ナット（３）の内部収納空間（10）に収納されると共に、外周面（８）に複数本の凹周溝（９）を有し、上記袋ナット（３）を上記継手本体（１）の雄ネジ（２）に螺着させる際にアキシャル方向の圧縮力（Ｆ）を受けて、凹周溝底薄壁部（13）がラジアル内方向へ塑性変形して、挿入されている金属管（Ｐ）に閉円環状縮径変形部（12）を形成しつつ食い込んで抜止めする圧縮変形用スリーブ（７）を有する冷媒用管継手構造に於て、
上記継手本体（１）は上記金属管（Ｐ）に挿入される内挿筒部（６）を有し、上記凹周溝（９）の凹周溝底薄壁部（13）によって形成される上記縮径変形部（12）の少なくとも一つ（12Ｚ）が食い込んでパイプ廻り止めを行うアキシャル方向凹凸条部（52）を、上記内挿筒部（６）の外周面に設けたことを特徴とする冷媒用管継手構造。
【請求項２】
先端縮径テーパ面（48）を有する雄ネジ付き継手本体（１）と袋ナット（３）とを備え、上記袋ナット（３）の内部収納空間（10）に収納されると共に、外周面（８）に複数本の凹周溝（９）を有し、上記袋ナット（３）を上記継手本体（１）の雄ネジ（２）に螺着させる際にアキシャル方向の圧縮力（Ｆ）を受けて、凹周溝底薄壁部（13）がラジアル内方向へ塑性変形して、挿入されている金属管（Ｐ）に閉円環状縮径変形部（12）を形成しつつ食い込んで抜止めする圧縮変形用スリーブ（７）を有する冷媒用管継手構造に於て、
上記継手本体（１）の上記先端縮径テーパ面（48）に圧接するテーパ内面（53）と、上記金属管（Ｐ）に挿入される内挿筒部（６）と有する短筒状中間体（54）を、上記内部収納空間（10）に収納し、
上記凹周溝（９）の凹周溝底薄壁部（13）によって形成される上記縮径変形部（12）の少なくとも一つが食い込んでパイプ廻り止めを行うアキシャル方向凹凸条部（52）を、上記内挿筒部（６）の外周面に設けたことを特徴とする冷媒用管継手構造。
【請求項３】
上記アキシャル方向凹凸条部（52）は上記内挿筒部（６）の中間部から先端部に渡って形成され、複数本の上記凹周溝（９）の内の最も外方の位置のものによって形成される上記縮径変形部（12）を、上記アキシャル方向凹凸条部（52）に食い込ませるように構成した請求項１又は２記載の冷媒用管継手構造。
【請求項４】
上記金属管（Ｐ）がアルミニウム管である請求項１，２又は３記載の冷媒用管継手構造。
【請求項５】
上記金属管（Ｐ）が銅管である請求項１，２又は３記載の冷媒用管継手構造。
【発明の詳細な説明】
【技術分野】
【０００１】
本発明は、冷媒用管継手構造に関する。
【背景技術】
【０００２】
管継手の一種として、フレア継手が古くから用いられている（例えば、特許文献１参照）。
一般に、図10に示すように、雄ネジ付き継手本体30のテーパ面31と、継手本体30の雄ネジ32に螺着される袋ナット33のテーパ面34の間に、銅製パイプ35の端部を拡径テーパ状に塑性加工して成るフレア端部37を、挟持させて圧接力により密封する構成である。
しかし、フレア加工を現場で行う必要があったため、配管作業能率アップが阻害されていた。
【０００３】
そこで、本発明者は、従来の（図10に示すような）フレア継手の上記欠点を解決し、さらに、部品点数も少なくて、シンプルな部品形状の管継手構造として、かつて図11に示すような発明を提案している（特許文献２参照）。
即ち、図11に於て、袋ナット38の内部収納空間39に圧縮変形用スリーブ40を内有させて、袋ナット38を継手本体41の雄ネジ42に螺進させ、この螺進させる際に、継手本体41のテーパ状先端面43と、袋ナット38の内鍔38Ａによって、アキシャル方向の強い圧縮力を付与させることで、上記スリーブ40の２個の外周凹溝44，44のアキシャル方向幅寸法を減少させつつ、この外周凹溝44の溝底薄壁部45をラジアル内方向へ塑性変形させて、挿入されているパイプ46の外周面に、塑性変形した溝底薄壁部45を食い込ませて、（図11のように）パイプ46の引抜けを阻止する構造である。なお、47は、ＰＴＦＥ等を塗装したシール層であり、溝底薄壁部45のパイプ46の外周面への食い込み変形に伴って、強く圧縮されて密封作用（シール性能）を増加させている。
【先行技術文献】
【特許文献】
【０００４】
【特許文献１】特開２００５−４２８５８号公報
【特許文献２】特許第５２７６２１５号公報
【発明の概要】
【発明が解決しようとする課題】
【０００５】
図11に示した冷媒用管継手は、（図10に示した）フレア継手に代わり得る優れた発明ではあるが、次のような改良すべき点が残っている点に本発明者は気付いた。即ち、（ｉ）パイプ46の耐引抜力は冷媒用配管用として十分であると考えられるが、冷媒用気体の密封性に関して、（後述する図９のような使用状況下で、）少し不安がある点、（ii）図11に示したシール層47の被覆作業が面倒かつコスト高であり、しかも、図11に示したような溝底薄壁部45の塑性変形に伴って部分的にシール層47が破壊する場合も考えられ、密封性能が低下する点。
【課題を解決するための手段】
【０００６】
本発明は、雄ネジ付き継手本体と袋ナットとを備え、上記袋ナットの内部収納空間に収納されると共に、外周面に複数本の凹周溝を有し、上記袋ナットを上記継手本体の雄ネジに螺着させる際にアキシャル方向の圧縮力を受けて、凹周溝底薄壁部がラジアル内方向へ塑性変形して、挿入されている金属管に閉円環状縮径変形部を形成しつつ食い込んで抜止めする圧縮変形用スリーブを有する冷媒用管継手構造に於て；上記継手本体は上記金属管に挿入される内挿筒部を有し、上記凹周溝の凹周溝底薄壁部によって形成される上記縮径変形部の少なくとも一つが食い込んでパイプ廻り止めを行うアキシャル方向凹凸条部を、上記内挿筒部の外周面に設けた構成である。
【０００７】
また、本発明は、先端縮径テーパ面を有する雄ネジ付き継手本体と袋ナットとを備え、上記袋ナットの内部収納空間に収納されると共に、外周面に複数本の凹周溝を有し、上記袋ナットを上記継手本体の雄ネジに螺着させる際にアキシャル方向の圧縮力を受けて、凹周溝底薄壁部がラジアル内方向へ塑性変形して、挿入されている金属管に閉円環状縮径変形部を形成しつつ食い込んで抜止めする圧縮変形用スリーブを有する冷媒用管継手構造に於て；上記継手本体の上記先端縮径テーパ面に圧接するテーパ内面と、上記金属管に挿入される内挿筒部と有する短筒状中間体を、上記内部収納空間に収納し；上記凹周溝の凹周溝底薄壁部によって形成される上記縮径変形部の少なくとも一つが食い込んでパイプ廻り止めを行うアキシャル方向凹凸条部を、上記内挿筒部の外周面に設けた構成である。
【０００８】
また、上記アキシャル方向凹凸条部は上記内挿筒部の中間部から先端部に渡って形成され、複数本の上記凹周溝の内の最も外方の位置のものによって形成される上記縮径変形部を、上記アキシャル方向凹凸条部に食い込ませるように構成した。
また、上記金属管がアルミニウム管である。あるいは、上記金属管が銅管である。
【発明の効果】
【０００９】
本発明によれば、パイプに回転トルクが作用した場合にも、パイプの回転は、内挿筒部によって、確実に阻止できる。これによって、残りの凹周溝の溝底薄壁部の塑性変形部位と、パイプ外周面の食い込み部位との間も全く相対的回転を生じないので、冷媒等の洩れ易い気体も、確実に安定して、密封（シール）される。
また、シール層の被覆も不要であり、さらに、ゴム等のシール材を省略できて、耐久性も優れ、コストダウンも達成できる。勿論、フレア加工、溶接、ろう付け等の現場作業も不要である。
特に、エアコン屋外機が倒れた場合には、パイプは約90°の捩れを生じ、パイプに回転トルクが作用するが、本発明では、継手本体又は短筒状中間体の内挿筒部と、パイプとの間の強力な廻り止めにより、パイプの回転は阻止され、少なくとも残りの（奥側の）凹周溝の溝底薄壁部とパイプとの間の相対的回転は（微小角度さえ）発生せず、密封性（シール性）は、長期にわたって安定して維持できる。
【図面の簡単な説明】
【００１０】
【図１】本発明の実施の一形態を示す袋ナット未締付状態の断面図である。
【図２】ナット締付完了状態の断面図である。
【図３】要部の横断面図である。
【図４】本発明の他の実施の形態を示す袋ナット未締付状態の断面図である。
【図５】ナット締付完了状態の断面図である。
【図６】ナット締付完了状態を説明する拡大断面図である。
【図７】圧縮状態に於ける圧縮変形用スリーブの要部のみを取出して示した拡大説明図である。
【図８】パイプに回転トルクを付与する試験方法を説明する斜視説明図である。
【図９】従来の問題点及び本発明の利点と作用・効果を説明するための斜視説明図である。
【図１０】従来例を示す断面図である。
【図１１】他の従来例を示した配管接続完了状態の断面図である。
【図１２】本発明の別の実施の形態を示す袋ナット未締付状態の断面図である。
【図１３】ナット締付完了状態の断面図である。
【発明を実施するための形態】
【００１１】
以下、図示の実施の形態に基づき本発明を詳説する。
図１と図２は本発明の実施の形態を示し、図１は未締付状態を、図２は締付（接続）完了状態を示す断面図である。
【００１２】
本発明は、冷媒用管継手構造であって、雄ネジ２付きの継手本体１と袋ナット３とを備え、袋ナット３の内部収納空間10には圧縮変形用スリーブ７を有する。
この圧縮変形用スリーブ７は、外周面８に複数本（図１，図２では２本を示す）のＵ字状の凹周溝９，９を有し、袋ナット３を継手本体１の雄ネジ２に螺進させる際にアキシャル方向の圧縮力Ｆを受けて、凹周溝底薄壁部13がラジアル内方向へ塑性変形して、挿入されている金属管（冷媒用パイプ）Ｐに閉円環状縮径変形部12を形成しつつ食い込んで、パイプ（金属管）Ｐの抜止めを行う。
継手本体１は、雄ネジ２を外周面に有する雄ネジ筒体４の先端面から突設された（金属管Ｐに挿入される）内挿筒部６を有する。図例では、雄ネジ筒部４の先端面を段付面６Ａとして、内挿筒部６が突設され、流路孔51が、雄ネジ筒部４と内挿筒部６に渡って、同一径で連続状に形成される。つまり、内挿筒部６は雄ネジ筒部４よりも薄肉である。
【００１３】
そして、この内挿筒部６の外周面に、アキシャル方向凹凸条部52が形成されている。図３（Ａ）（Ｂ）に示すように、この凹凸条部52の凸条は横断面四角形や三角形として、多数本平行に突設し、あるいは、図３（Ｃ）のように凹凸波形とする。（なお、これ以外の形状の凹凸条部52としてもよい。）
さらに、図１と図２と図６に示すように、アキシャル方向凹凸条部52は、内挿筒部６の中間部から先端部（最先端）に渡って形成され、複数本（図１，図２では２本）の凹周溝９，９の内の最も外方の位置のものによって形成される縮径変形部12（12Ｚ）を、上記アキシャル方向凹凸条部52に食い込ませる。
【００１４】
次に、図４と図５に他の実施形態を示す。継手本体１には先端縮径テーパ面48を有し、従来から広く使用されている、図10の継手本体30と同一の形状・寸法のものを、流用できる。即ち、継手本体１の先端縮径テーパ面48に圧接するテーパ内面53と、金属管Ｐに挿入される内挿筒部６とを、有する中間体54を、介在させている。具体的には、内挿筒部６の基端（内方端）に外鍔部55を突設して、この外鍔部55に於て、流路孔51Ａの内方開口端に、上記テーパ内面53を形成する。外鍔部55の外方端面を段付面６Ａとして、圧縮変形用スリーブ７の内端面を圧接させる。
このように、短筒状中間体54を内部収納空間10に収納している。
【００１５】
そして、圧縮変形用スリーブ７の凹周溝９の凹周溝底薄壁部13によって形成される縮径変形部12の少なくとも一つが食い込んでパイプ廻り止めを行うアキシャル方向凹凸条部52を、中間体54の内挿筒部６の外周面に設ける。この凹凸条部52の横断面形状については、図３に於て既に説明した通りである。
そして、図４，図５，図６に示したように、アキシャル方向凹凸条部52は、中間体54の内挿筒部６の中間部から先端部（最先端）に渡って形成され、複数本（図４，図５では２本）の凹周溝９，９の内の最外方のものによって形成される縮径変形部12Ｚを、凹凸条部52に食い込ませる。
【００１６】
次に、図12と図13に別の実施の形態を示す。継手本体１は、雄ネジ２とテーパ面48と内挿筒部６を、継手外方に向かって順に有し、一体ものとする。言い換えれば、図１，図２に示した実施の一形態に於て、軸心直交面状の段付面６Ａの代りに、外方縮径状のテーパ面48を形成している。
圧縮変形用スリーブ７は、外周面８に２本のＵ字状の凹周溝９，９を有し（図12参照）、袋ナット３を継手本体１の雄ネジ２に螺進させる際に圧縮方向の圧縮力Ｆを受けて、凹周溝底薄壁部13がラジアル内方向へ塑性変形して、挿入されている金属管（冷媒用パイプ）Ｐに閉円環状縮径変形部12を形成しつつ食い込んで、パイプ抜止めを行う点は、図１，図２や図４，図５と同様である。
【００１７】
圧縮変形用スリーブ７の内端近傍は肉厚大としている。即ち、テーパ面48に圧接するテーパ内面53Ａの内径方向延長線部と、挿入された金属管Ｐの内端57の当り用軸心直交面（段付面）58とを有する内鍔部59を一体形成して、圧縮変形用スリーブ７の内端近傍は、肉厚を増加させて、強度と剛性を増加し、図13に示すように、外力Ｆを受けて、テーパ面48とテーパ内面53Ａの強い圧接に伴ってスリーブ７の内端近傍がラジアル外方向へ過大に変形することを防止している。
そして、内挿筒部６の外周面に、アキシャル方向凹凸条部52が形成され、この凹凸条部52の横断面形状は、前述した実施の形態（図１，図２，図４，図５）と同様である。それ以外の構成に関しても、図１，図２，図４，図５、及び、図３，図６にて説明した構成と同様である。
【００１８】
ところで、本発明の冷媒用管継手構造としては、金属管Ｐがアルミニウム管又は銅管が用いられる。また、図１〜図６及び図12，図13に示すように、Ｏリング等のシール材は用いておらず、金属相互の強い圧接（密着）にて密封作用をなしている。
圧縮変形用スリーブ７は、袋ナット３と継手本体１との螺進によって、図１から図２、あるいは、図４から図５に示すように、あるいは、図12から図13に示したように、継手本体１と袋ナット３からアキシャル方向の圧縮力（締付力）Ｆを受けて、凹周溝底薄壁部13がラジアル内方向に塑性変形して、挿入されている金属管Ｐの外周面側から食い込んで抜止めする。つまり、耐引抜力を発揮する。凹周溝９の幅寸法が、図１から図２（図６）のように、あるいは、図４から図５（図６）のように、又は、図12から図13（図６）のように、スリーブ７の圧縮変形に伴って減少して、狭小Ｕ字又は狭小Ｖ字となる。
【００１９】
図１，図２，図４，図５，図12，図13に示すように、基端側の凹周溝９の溝底薄壁部13には、係止小段付を有する小突条23が形成され、図２，図５，図13の圧縮状態下で耐引抜力を増加させ、かつ、シール性（密封性）も向上させている。なお、図６に示す実施例では、両溝底薄壁部13に、小突条23を形成し、しかも、係止小段付Ｇを明示する。この係止小段付Ｇによって耐引抜力を一層増大し、かつ、密封性は内方の小突条23に於て向上する。このように、全ての凹周溝９に対応して小突条23を配設するも好ましい。
【００２０】
図６（図２，図５，図13）に示すように、内挿筒部６のアキシャル方向凹凸条部52の凹条部に金属管Ｐの（内周面の）縮径変形部12Ｚが食い込んで、内挿筒部６に対する（軸心廻りの）相対的回転は強力に阻止できる。なお、図４と図５の場合には、テーパ面48，53相互の圧接により強力な回転阻止が行われる。従って、図５，図６（及び図２）に於て、金属管Ｐと内挿筒部６とスリーブ７と袋ナット３は、相対的に軸心廻りには回転しない。
上述したように、図６（図２，図５，図13）に於ける外方の凹周溝９の溝底薄壁部13の塑性変形によれば、金属管Ｐの廻り止め機能は強力であり、また、金属管Ｐの耐引抜力も大きい。他方、内方の凹周溝９の溝底薄壁部13の塑性変形によれば、金属管Ｐに対する強力な耐引抜力が発揮され、かつ、冷媒に対して、（シール材なしでの）シール性能・密封性を発揮する。
【００２１】
しかしながら、内方の凹周溝９の冷媒に対するシール性能・密封性に関しては、外方の凹周溝９の強力な廻り止め機能（グリップ機能）の助けを要する。以下、この点について説明する。
図７は、図２，図５，図13，図６に示した圧縮接続完了状態下で、仮に金属管Ｐを除去した場合の圧縮変形用スリーブ７の要部拡大説明図であり、この図７からも明らかなように、凹周溝９に於ける各溝底薄壁部13の内周面には、Ｕ字状又はＶ字状に塑性変形する際に多数の皺Ｎが発生する。その理由は、全体に縮径変形であるがために、圧縮変形に伴って、皺Ｎが発生すると推定される。
当然に、パイプＰ側の（対応する）圧接部には、凹と凸が逆の皺が発生し、相互に密に凹凸が入り込んでいる。しかし、金属管Ｐとスリーブ７の相互の回転阻止力（グリップ機能）は、銅やアルミニウムは軟らかい金属のために、弱い。
【００２２】
金属管Ｐの回転が、内挿筒部６（のアキシャル方向凹凸条部52）によって阻止されるという廻り止め機能（グリップ機能）が存在しない場合を仮定すると、内方の凹周溝９では、銅又はアルミニウム製の金属管Ｐと、スリーブ７とが（図７に示したような）皺Ｎによって凹凸が入り込んでいるといえども、簡単に金属管は回転してしまう（即ち、皺Ｎは小さく、かつ、材質が軟らかいため）。
このような回転に伴って、凹凸の入り込みが、逆に、極微小間隙を発生させ、冷媒が外部漏洩する。実験の結果、微小な皺Ｎによる凹凸の入り込み状態から、金属管Ｐが１°〜２°の微小角度の回転が生ずると、冷媒（気体）は外部漏洩することが判明した。
本発明では、継手本体１に対して金属管Ｐが強力に回転阻止できる構成としたので、冷媒等の気体に対しても十分に長期間にわたって、かつ、過酷な使用状況にあっても、密封性能（シール性）を発揮して、外部漏洩を防止できる。
【００２３】
次に、図９は本発明に係る管継手構造の使用状態の一例を示す図であって、箱型のエアコン室外機17の側面に、冷媒配管18，18が接続される部位―――図９では、黒丸19，19をもって示す―――に本発明に係る管継手が使用されている。
冷媒配管18は、既述の金属管Ｐ（銅管又はアルミニウム管）が相当するが、図９（Ａ）に示した正常姿勢の室外機17に於て、Ｌ字（Ｚ字）型等に金属管Ｐは折曲げられており、このような正常姿勢から図９（Ｂ）に示すように、地震や他の物体が衝突する等の何らかの原因で矢印Ｃ方向へ倒れる事故が発生すると、金属管Ｐの管継手との接続近傍位置では、矢印Ｍ方向の捩れが発生する。室外機17の設置面20は通常水平面状であるから、約90°の角度β0 の捩れが管継手（黒丸19参照）と金属管Ｐの接続領域で生ずる。
【００２４】
図８は、このような事故の状況を本発明者が再現して冷媒外部漏洩実験を行った斜視説明図である。即ち、図８に示すように、管継手Ｘとして、図11に示した従来例―――即ち、本発明の特に廻り止め内挿筒部６を具備しないもの―――と、本発明の実施例として、図１と図２に示した構造の管継手とを、エアコン室外機17（に相当する固定壁面）に水平に突出状に固着し、さらに、金属管Ｐを最小可能曲げアール半径Ｒ1 にて鉛直上方に曲げた状態で、この曲げアール半径Ｒ1 とストレート状となる境目の箇所（２つの三角印21，21にて示す）にて掴持工具で掴持して、矢印Ｍ方向に捩りを金属管に与え、しかも冷媒には通常の使用状態に於ける最高使用圧を付与しつつ管継手Ｘ及び金属管Ｐ内に流して、外部漏洩テストを行った。金属管Ｐはいずれも銅管ＰCuとアルミニウム管ＰAlを用いた。
【００２５】
実験結果は、次の表１の通りであった。
【表１】
0005592573.tif 000002
【００２６】
上記表１から判るように、従来例の管継手では、図９に示した室外機17の倒れ事故の際に、冷媒の外部漏洩が発生する虞が高い。このように金属管捩れが加えられた際、密封性に不安がある。これに対し、本発明の実施例では、銅管ＰCuとアルミニウム管ＰAlのいずれに於ても、室外機17の倒れ事故にあっても約90°を十分に越えた金属管捩れ角度βまで冷媒漏洩の心配がなく、安定して優れた密封性能を発揮することが判明した。
【００２７】
なお、図４にもどって追加説明する。継手本体１は、先端にテーパ面48を有し、また、中間体54は同一テーパ角度の圧接シール用テーパ内面53を有する。この両テーパ面48，53の圧接による密封は、ＪＩＳ  Ｂ８６０７のフレア継手の場合と同様に良好にシールされる。
また、図１，図２，図４〜図６，図12，図13に於て、圧縮変形用スリーブ７には、ステンレス鋼等の硬質金属（又は硬質プラスチック）のカバー部材29が外嵌状に取付けられている。このカバー部材29は、袋ナット３の内周面と、圧縮変形用スリーブ７の外周面との摩擦抵抗（圧着による抵抗）を低減し、滑りを助長する円筒状のものである。
【００２８】
図７に示したような縮径方向の変形によって発生する小さな皺Ｎによって、Ｕ字状（又はＶ字状）に塑性変形した溝底薄壁部13と、それに対応した金属管外周面が、相互に凹凸に噛み合っているといえども、両者の材質は、銅と銅、又は、アルミニウムとアルミニウムというように、柔らかい材質同志の圧接状態であり、図８（図９）にて述べたような矢印Ｍ方向の金属管捩り力が作用すれば、１°〜２°の僅かな回転滑りを発生してしまって、上記小さな皺Ｎが、このときは逆に気体（冷媒）が通過する極微小流路を形成し、外部漏洩を発生するものと考えられ、本発明はこのような外部漏洩を、アキシャル方向凹凸条部52にて簡易にかつ安定して、防止できる。
なお、本発明にあっては各部品を電蝕現象の起こらない材質を組合せる。また、本発明では、ゴムやプラスチック等の冷媒による劣化（腐食）を生ずる材質を用いていない点も他の特徴である。溶接や銀ロウの作業は全く不要である点もさらなる特徴であるといえる。
【００２９】
また、図６に於て追加説明すると、スリーブ７の内端面に２点鎖線で示す円形凹溝（あるいは円形突条）を形成して、段付面６Ａに圧接した状態下での密封性能と一層安定して高めるも、望ましい。
さらに、図６に於て、未圧縮状態における凹周溝９，９のアキシャル方向の各基準位置Ｈ1 ，Ｈ2 が最終の圧縮状態に到るまでに、内方の凹周溝９は小さなストロークＬ1 分を移動し、外方の凹周溝９は大きなストロークＬ2 を移動する。従って、外方の縮径変形部12Ｚはラジアル内方向に変形すると同時に、矢印Ｌ2 方向へも移動してゆく。この矢印Ｌ2 方向への移動によって、外方の縮径変形部12Ｚの内面は、アキシャル方向凹凸条部52に対して滑動しつつ凹凸条部52の凹凸形状（図３参照）になじみ易く、相互に深く入り込んで、これによって、相対的な軸心方向回転を強力に阻止できる。
【００３０】
本発明は、以上述べたように、雄ネジ付き継手本体１と袋ナット３とを備え、上記袋ナット３の内部収納空間10に収納されると共に、外周面８に複数本の凹周溝９を有し、上記袋ナット３を上記継手本体１の雄ネジ２に螺着させる際にアキシャル方向の圧縮力Ｆを受けて、凹周溝底薄壁部13がラジアル内方向へ塑性変形して、挿入されている金属管Ｐに閉円環状縮径変形部12を形成しつつ食い込んで抜止めする圧縮変形用スリーブ７を有する冷媒用管継手構造に於て；上記継手本体１は上記金属管Ｐに挿入される内挿筒部６を有し、上記凹周溝９の凹周溝底薄壁部13によって形成される上記縮径変形部12の少なくとも一つ12Ｚが食い込んでパイプ廻り止めを行うアキシャル方向凹凸条部52を、上記内挿筒部６の外周面に設けた構成であるので、従来の問題点を解決して、金属管Ｐに捩り力Ｍ（図９，図８参照）が作用した際にも、確実な廻り止めが行われ、金属管Ｐとスリーブ７との相対的回転に伴う（微量）冷媒漏洩を防止して、密封性能が安定して優秀である。
【００３１】
また、先端縮径テーパ面48を有する雄ネジ付き継手本体１と袋ナット３とを備え、上記袋ナット３の内部収納空間10に収納されると共に、外周面８に複数本の凹周溝９を有し、上記袋ナット３を上記継手本体１の雄ネジ２に螺着させる際にアキシャル方向の圧縮力Ｆを受けて、凹周溝底薄壁部13がラジアル内方向へ塑性変形して、挿入されている金属管Ｐに閉円環状縮径変形部12を形成しつつ食い込んで抜止めする圧縮変形用スリーブ７を有する冷媒用管継手構造に於て；上記継手本体１の上記先端縮径テーパ面48に圧接するテーパ内面53と、上記金属管Ｐに挿入される内挿筒部６と有する短筒状中間体54を、上記内部収納空間10に収納し；上記凹周溝９の凹周溝底薄壁部13によって形成される上記縮径変形部12の少なくとも一つが食い込んでパイプ廻り止めを行うアキシャル方向凹凸条部52を、上記内挿筒部６の外周面に設けた構成であるので、従来からずっと利用されてきた、図10に示した継手本体10を、今後も、使用を続けることが可能となり、好都合である。さらに、従来の問題点を解決して、金属管Ｐに捩り力Ｍ（図９，図８参照）が作用した際にも、確実な廻り止めが行われ、金属管Ｐとスリーブ７との相対的回転に伴う（微量）冷媒漏洩を防止して、密封性能が安定して優秀である。
【００３２】
また、上記アキシャル方向凹凸条部52は上記内挿筒部６の中間部から先端部に渡って形成され、複数本の上記凹周溝９の内の最も外方の位置のものによって形成される上記縮径変形部12を、上記アキシャル方向凹凸条部52に食い込ませるように構成したので、図６で説明したようにストロークＬ2 が大きく、縮径変形部12の内面には、アキシャル方向凹凸条部52の横断面形状に一致する凸条・凹条が発生し易く、一層強力な廻り止め力を発揮する。
【符号の説明】
【００３３】
１  継手本体
２  雄ネジ
３  袋ナット
６  内挿筒部
７  圧縮変形用スリーブ
８  外周面
９  凹周溝
10  内部収納空間
12  縮径変形部
12Ｚ  縮径変形部
13  凹周溝底薄壁部
48  テーパ面
52  アキシャル方向凹凸条部
53  テーパ内面
54  中間体
Ｆ  圧縮力（締付力）
Ｐ  金属管
【要約】
【課題】パイプが銅管から成る場合、端部にフレア加工せず、迅速に強力な接続が可能な冷媒用管継手構造を提供する。
【解決手段】雄ネジ付き継手本体１と、継手本体１の雄ネジ２に螺着される袋ナット３と、を備え、銅管を接続する冷媒用管継手構造に於て、袋ナット３の内部収納空間10に収納されると共に、外周面８に凹周溝９を有し、袋ナット３と継手本体１の雄ネジ２を螺着させる際に継手本体１と袋ナット３からアキシャル方向の圧縮力を受けて、凹周溝底薄壁部13がラジアル内方向へ塑性変形して、挿入されている銅管の外周面側から食い込んで抜止めする圧縮変形用スリーブ7を有し、さらに、継手本体１はアキシャル方向凹凸条部52を有する内挿筒部６を有し、廻り止めする。
【選択図】図１【図１】
0005592573.tif 000003
【図２】
0005592573.tif 000004
【図３】
0005592573.tif 000005
【図４】
0005592573.tif 000006
【図５】
0005592573.tif 000007
【図６】
0005592573.tif 000008
【図７】
0005592573.tif 000009
【図８】
0005592573.tif 000010
【図９】
0005592573.tif 000011
【図１０】
0005592573.tif 000012
【図１１】
0005592573.tif 000013
【図１２】
0005592573.tif 000014
【図１３】
0005592573.tif 000015